(57)【特許請求の範囲】
【請求項１】
ハウジングと、前記ハウジングの内部に設けられた発光モジュール部と、前記ハウジングの上に結合される固定部及び前記固定部の上段から水平方向に突出する突起部を含む締結部を含む複数の照明ユニットと、
前記締結部の突起部が内部にスライディングされながら結合できるように挿入溝が形成されて前記複数の照明ユニットを結合させるブラケットと、を含み、
前記複数の照明ユニットの締結部は十字形態で配置され、前記ブラケットは前記複数の照明ユニットのうちの１つの締結部の中心部から前記複数の照明ユニットのうちの他の１つの締結部の中心部まで延びることを特徴とする照明装置。
【請求項２】
前記ハウジングは、胴体部と、前記胴体部から傾斜したルーバー部を含むことを特徴とする請求項１に記載の照明装置。
【請求項３】
前記複数の照明ユニットのうちの１つのルーバー部は、前記複数の照明ユニットのうちの他の１つのルーバー部と接触することを特徴とする請求項２に記載の照明装置。
【請求項４】
前記ルーバー部の上には電源制御部が結合されることを特徴とする請求項２に記載の照明装置。
【請求項５】
前記発光モジュール部は、基板と、前記基板に設けられた複数の発光素子を含むことを特徴とする請求項１〜４のいずれか一項に記載の照明装置。
【請求項６】
前記基板と前記ハウジングとの間には放熱シートが配置されることを特徴とする請求項５に記載の照明装置。
【請求項７】
前記発光素子は、赤色、緑色、青色、白色、黄色のうち、少なくともいずれか１つの色の光を放出する発光ダイオードを含むことを特徴とする請求項５又は６に記載の照明装置。
【請求項８】
前記発光モジュール部の下に配置される光学シート部をさらに含むことを特徴とする請求項１〜７のいずれか一項に記載の照明装置。
【請求項９】
前記光学シート部は、拡散シート、プリズムシート、または蛍光シートのうち、少なくともいずれか１つを含むことを特徴とする請求項８に記載の照明装置。
【請求項１０】
前記ハウジングは、金属材質または樹脂材質で形成されたことを特徴とする請求項１〜９のいずれか一項に記載の照明装置。
【請求項１１】
前記ハウジングは、表面に形成された凹凸を含むことを特徴とする請求項１〜１０のいずれか一項に記載の照明装置。
【発明の詳細な説明】
【技術分野】
【０００１】
本発明は、照明装置に関するものである。
【背景技術】
【０００２】
発光素子（ＬＥＤ）は、電気エネルギーを光に変換する半導体素子の一種である。発光素子は、蛍光灯、白熱灯など、既存の光源に比べて低消費電力、半永久的な寿命、速い応答速度、安全性、及び環境親和性の長所を有する。
【０００３】
したがって、既存の光源を発光素子に取り替えるための多くの研究が進行されており、既に発光素子は室内外で使われる各種の液晶表示装置、電光板、街灯、表示灯、室内灯などの照明装置の光源として使用が増加されている趨勢である。
【発明の概要】
【発明が解決しようとする課題】
【０００４】
本発明の目的は、新たな構造を有する照明装置を提供することにある。
【０００５】
本発明の他の目的は、容易に結合及び分離できる照明装置を提供することにある。
【０００６】
本発明の更なる他の目的は、多様な配置を有するように結合できるので、多様な面積及び設置環境に設置できる照明装置を提供することにある。
【課題を解決するための手段】
【０００７】
本発明に係る照明装置は、ハウジングと、上記ハウジングの内部に設けられた発光モジュール部と、上記ハウジングの上に結合される固定部及び上記固定部の上段から水平方向に突出する突起部を含む締結部を含む複数の照明ユニットと、上記締結部の突起部が内部にスライディングされながら結合できるように挿入溝が形成されて上記複数の照明ユニットを結合させるブラケットと、を含む。
【０００８】
本発明に係る照明装置は、ハウジングと、上記ハウジングの内部に設けられた発光モジュール部と、上記ハウジングに結合され、挿入溝が形成された締結部材を含む複数の照明ユニットと、上記複数の照明ユニットの隣接した２つの締結部材の挿入溝に結合される結合バーと、を含む。
【０００９】
本発明に係る照明装置は、表面に挿入溝が形成されたハウジングと、上記ハウジングの内部に設けられた発光モジュール部を含む複数の照明ユニットと、上記複数の照明ユニットの挿入溝に挿入されて上記複数の照明ユニットを結合させるブラケットと、を含む。
【発明の効果】
【００１０】
本発明によれば、新たな構造を有する照明装置を提供することができる。
【００１１】
本発明によれば、容易に結合及び分離できる照明装置を提供することができる。
【００１２】
本発明によれば、多様な配置を有するように結合できるので、多様な面積及び設置環境に設置できる照明装置を提供することができる。
【図面の簡単な説明】
【００１３】
【図１】本発明の第１実施形態に係る照明ユニットの斜視図である。
【図２】本発明の第１実施形態に係る照明ユニットの分解斜視図である。
【図３】図１のＡ−Ａ’断面を示す側断面図である。
【図４】本発明の第１実施形態に係る照明ユニットの出射面を示す図である。
【図５】本発明の第１実施形態に係る複数個の照明ユニットの結合を説明する図である。
【図６】本発明の第１実施形態に係る複数個の照明ユニットが結合された照明装置を示す図である。
【図７】本発明の第２実施形態に係る照明ユニットが複数個結合された照明装置を示す図である。
【図８】本発明の第３実施形態に係る照明ユニットの締結部とブラケットを示す断面図である。
【図９】本発明の第４実施形態に係る照明ユニットが複数個結合された照明装置を示す図である。
【図１０】本発明の第４実施形態に係る照明ユニットの締結部材及び結合バーの結合状態を示す図である。
【発明を実施するための形態】
【００１４】
本発明を説明するに当たって、各層（膜）、領域、パターン、または構造物が、基板、各層（膜）、領域、パッド、またはパターンの“上（on）”に、または“下（under）”に形成されることと記載される場合において、“上（on）”と“下（under）”は、“直接（directly）”または“他の層を介して（indirectly）”形成されることを全て含む。また、各層の上または下に対する基準は、図面を基準として説明する。
【００１５】
図面において、各層の厚さやサイズは説明の便宜及び明確性のために誇張、省略、または概略的に図示された。また、各構成要素のサイズは実際のサイズを全的に反映するのではない。
【００１６】
以下、添付図面を参照しつつ本発明に係る照明装置を説明する。
【００１７】
図１は本発明の第１実施形態に係る照明ユニットの斜視図であり、図２は本発明の第１実施形態に係る照明ユニットの分解斜視図であり、図３は図１のＡ−Ａ’断面を示す側断面図であり、図４は本発明の第１実施形態に係る照明ユニットの出射面を示す図であり、図５は本発明の第１実施形態に係る照明ユニットの結合状態を示す図であり、図６は本発明の第１実施形態に係る照明ユニットが結合された照明装置を示す図である。
【００１８】
図１乃至図６を参照すると、本発明の実施形態に係る照明ユニット１は、ハウジング３００と、上記ハウジング３００の内部に配置される発光モジュール部１００と、上記発光モジュール部１００の下に配置される光学シート部２００と、上記ハウジング３００の外側に電源制御部４００、及び上記ハウジング３００の上に締結部５００を含む。
【００１９】
上記照明ユニット１は複数個が備えられることができ、上記照明ユニット１の締結部５００はブラケット６００と結合できる。したがって、上記照明ユニット１は複数個が一体で組立できる。
【００２０】
上記発光モジュール部１００は上記ハウジング３００の前面に設けられて光を放出し、上記締結部５００は上記ハウジング３００の背面に設けられて複数個の上記照明ユニット１が上記ブラケット６００により結合できるようにする。
【００２１】
上記ハウジング３００は、上記発光モジュール部１００及び電源制御部４００で発生する熱を効果的に放出できるように、熱伝導性の高い材質で形成されることができ、例えば、金属材質、樹脂材質で形成できる。上記金属材質は、アルミニウム（Ａｌ）、銅（Ｃｕ）、スズ（Ｓｎ）、タングステン（Ｗ）、チタニウム（Ｔｉ）、銀（Ａｇ）、金（Ａｕ）、白金（Ｐｔ）、ニッケル（Ｎｉ）、亜鉛（Ｚｎ）などのうち、少なくともいずれか１つを含むことができ、これに対して限定するのではない。
【００２２】
また、上記ハウジング３００の表面にはアルミニウム（Ａｌ）酸化膜または銀（Ａｇ）酸化膜を形成して、上記ハウジング３００の耐摩耗性、耐食性、耐久性などを確保し、上記照明ユニット１の良好な外観を確保することができる。または、上記ハウジング３００の表面は白色や銀色などでコーティングまたは塗布されることもできる。
【００２３】
上記ハウジング３００は、胴体部３１０とルーバー部３２０を含むことができる。
【００２４】
上記胴体部３１０には、上記発光モジュール部１００及び上記光学シート部２００が収納できる。
【００２５】
上記胴体部３１０の形状は、上から見て、四角形、円形、多角形など、多様な形状を有することができ、上記発光モジュール部１００及び上記光学シート部２００が内部に設置されることができ、これに対して限定するのではない。
【００２６】
上記ルーバー部３２０は、上記胴体部３１０の周り面から延びて形成されることができ、上記胴体部３１０の周り面の外側方向に第１傾斜を有する斜面で形成できる。上記第１傾斜は、上記照明ユニット１の設計に従い多様に変形できる。
【００２７】
上記ルーバー部３２０は、上記発光モジュール部１００から放出された光の指向角を調節し、上記光を反射させて光効率を増加させ、上記光のグレア（眩しさ：glare）を緩和することができる。上記ルーバー部３２０には上記電源制御部４００が設置できる。
【００２８】
一方、上記ハウジング３００の表面の少なくとも一部には凹凸が形成されて、上記ハウジング３００の表面積を広げることによって、上記照明ユニット１の放熱特性を向上させることができる。
【００２９】
上記発光モジュール部１００は、上記ハウジング３００の胴体部３１０に配置できる。上記発光モジュール部１００は、基板１１０と、上記基板１１０の第１面に複数の発光素子１２０を含むことができる。
【００３０】
上記基板１１０は、印刷回路基板（ＰＣＢ：Printed Circuit Board）でありうる。上記印刷回路基板は、絶縁体に回路が印刷されたものであって、アルミニウム基板、セラミック基板、メタルコアＰＣＢ、一般ＰＣＢなどを含むことができる。
【００３１】
上記基板１１０の表面は反射効率を上げるために白色や銀色でコーティングまたは塗布などが実施できる。
【００３２】
上記複数の発光素子１２０は、赤色、緑色、青色、白色、黄色などの色光を発光する発光ダイオード（ＬＥＤ）を少なくとも１つ含むことができる。例えば、上記複数の発光素子１２０は、赤色光を放出する赤色発光ダイオード、緑色光を放出する緑色発光ダイオード、青色光を放出する青色発光ダイオードのうち、少なくともいずれか１つを含むことができる。但し、上記複数の発光素子１２０は多様な色光を発光する発光ダイオード（ＬＥＤ）の組合により形成されることができ、これに対して限定するのではない。
【００３３】
上記基板１１０は、上記複数の発光素子１２０を駆動できる回路を含む。上記複数の発光素子１２０は、上記基板１１０の上に多様に配置されることができ、例えば、行と列に沿って揃えて配置できるが、これに対して限定するのではない。また、上記複数の発光素子１２０の数に対しても限定しない。
【００３４】
一方、図示してはいないが、上記基板１１０の上記第１面の反対面である第２面には放熱シート（図示せず）が形成されることもできる。即ち、上記放熱シートは上記基板１１０と上記ハウジング３００との間に配置できる。
【００３５】
上記発光モジュール部１００の下には上記光学シート部２００が形成できる。上記光学シート部２００は、少なくとも１つの光学シートを含むことができ、例えば、上記光学シート部２００は、光を拡散させる拡散シート、光を集光させるプリズムシート、光の波長を変化させる蛍光体を含む蛍光シートなどを含むことができる。
【００３６】
上記光学シートは、合成樹脂材質で形成されてフレキシブルなフィルムタイプで形成されるか、フレキシブルでないプレートタイプで形成されることもでき、ガラスのような材質で形成されることもできる。
【００３７】
上記光学シート部２００は、上記発光モジュール部１００から放出された光を集光するか、面光源化するか、色変換することができるが、これに対して限定するのではない。
【００３８】
また、上記光学シート部２００は、平らな板形で図示されたが、例えば、凸面または凹面を含むか、パターンを含むこともでき、これに対して限定するのではない。
【００３９】
上記ハウジング３００の外側には上記電源制御部４００が形成できる。上記電源制御部４００は、上記発光モジュール部１００と電気的に連結できる。上記電源制御部４００は、上記発光モジュール部１００に電源を提供し、上記発光モジュール部１００の複数の発光素子１２０を制御及び駆動できる。
【００４０】
上記電源制御部４００は、図示したように、上記ハウジング３００のルーバー部３２０の外側に形成されるか、上記ハウジング３００の胴体部３１０の外側に形成されることもでき、上記電源制御部４００の形成位置に対して限定するのではない。
【００４１】
上記ハウジング３００上面３１２には上記締結部５００が形成できる。上記締結部５００は、上記ブラケット６００と結合されることによって、複数個の照明ユニット１を連結できる。
【００４２】
上記締結部５００は、上記ハウジング３００の上面３１２と結合及び固定される固定部５１０と、上記固定部５１０の上に突出する突起部５２０を含むことができる。上記固定部５１０は上方に突出し、上記突起部５２０は上記固定部５１０の端部から水平方向に突出できる。
【００４３】
上記固定部５１０は第１ホール５１１を含み、上記ハウジング３００の上面３１２には挿入溝３１３が形成できる。上記第１ホール５１１及び上記挿入溝３１３には結合ねじ５１２が挿入されて、上記締結部５００を上記ハウジング３００に結合できる。
【００４４】
図５及び図６を参照すると、上記突起部５２０は上記ブラケット６００の挿入部６１０に挿入されて結合及び固定できるように、上記ブラケット６００の挿入部６１０と対応する形状を有することができる。
【００４５】
例えば、上記突起部５２０の上段の両側５２１ａ、５２１ｂは、水平方向に突出するように形成できるが、これに対して限定するのではない。
【００４６】
上記ブラケット６００は上記突起部５２０にスライディングされながら挿入されて結合されるが、上記ブラケット６００は上記突起部５２０が内側に配置されるように上記突起部５２０を覆いかぶせる。
【００４７】
図１及び図２を参照すると、上記締結部５００は上記ハウジング３００の上面３１２に第１方向及び上記第１方向に直交する第２方向を有する２つの直線が交差する形態、即ち、十字形態で形成できる。または、上記締結部５００は直線形態などで形成されることもでき、これに対して限定するのではない。
【００４８】
以下、図５及び図６を参照して、複数個の上記照明ユニット１の結合状態を説明する。
【００４９】
図５の（ａ）は上記締結部５００に上記ブラケット６００が結合された状態を示す図であり、図５の（ｂ）は上記締結部５００と上記ブラケット６００とが分離された状態を示す図である。
【００５０】
上記ブラケット６００は上記締結部５００に第１方向（ａ）にスライディング（sliding）されて結合できる。即ち、上記ブラケット６００の挿入溝６１０と上記締結部５００の突起部５２０を同一線上に配置した後、上記第１方向（ａ）にスライディングすることによって結合できる。但し、上記ブラケット６００と上記締結部５００との結合方式に対して限定するのではない。
【００５１】
図６は、本発明の第１実施形態に係る照明ユニットが結合した照明装置を示す図である。上記複数の照明ユニット１は、説明の便宜のために、第１、２、３、４照明ユニット１Ａ、１Ｂ、１Ｃ、１Ｄを含むように図示したが、上記複数個の照明ユニット１は、設置位置、設置面積、設置環境などによって多様な数と配置を有することができ、これに対して限定するのではない。
【００５２】
本発明において、上記複数の照明ユニット１Ａ、１Ｂ、１Ｃ、１Ｄは、各々のルーバー部３２０が互いに接触できる。したがって、上記複数の照明ユニット１Ａ、１Ｂ、１Ｃ、１Ｄの間に隙間が生じないことがある。
【００５３】
上記締結部５００が第１方向及び上記第１方向と直交する第２方向を有する２つの直線が交差する形態、即ち、十字形態で配置された場合、上記第１、２、３、４照明ユニット１Ａ、１Ｂ、１Ｃ、１Ｄの上には上記締結部５００が第１方向及び第２方向に沿って配置できる。また、隣接した上記締結部５００は複数個の上記ブラケット６００により各々結合されて、上記第１、２、３、４照明ユニット１Ａ、１Ｂ、１Ｃ、１Ｄは互いに結合できる。上記ブラケット６００は、上記複数の照明ユニット１Ａ、１Ｂ、１Ｃ、１Ｄのうちの１つの締結部５００の中心部から上記複数の照明ユニット１Ａ、１Ｂ、１Ｃ、１Ｄのうちの他の１つの締結部５００の中心部まで延びることもできる。
【００５４】
即ち、上記第１、２、３、４照明ユニット１Ａ、１Ｂ、１Ｃ、１Ｄは、上記第１照明ユニット１Ａと上記第２照明ユニット１Ｂとの間、上記第２照明ユニット１Ｂと上記第３照明ユニット１Ｃとの間、上記第３照明ユニット１Ｃと上記第４照明ユニット１Ｄとの間、及び上記第４照明ユニット１Ｄと上記第１照明ユニット１Ａとの間に隣接した上記締結部５００は、上記ブラケット６００により結合されて、上記照明装置を提供できる。
【００５５】
本発明は、上記締結部５００と上記ブラケット６００により容易に結合及び分離できる照明装置を提供できる。
【００５６】
また、本発明は上記締結部５００と上記ブラケット６００により多様な配置を有するように結合できるので、多様な面積及び設置環境に対して適用できる照明装置を提供できる。
【００５７】
以下、本発明の第２実施形態に係る照明装置に対して構成要素を中心として詳細に説明する。第２実施形態を説明するに当たって、上記第１実施形態と同一な部分に対しては第１実施形態を参照し、重複する説明は省略する。
【００５８】
図７は、本発明の第２実施形態に係る照明ユニットが複数個結合された照明装置を示す図である。
【００５９】
上記照明ユニット２は、ハウジング３００と、上記ハウジング３００に配置される発光モジュール部（図示せず）及び光学シート部（図示せず）、上記ハウジング３００の外側に電源制御部（図示せず）及び上記ハウジング３００の上に締結部５００ａを含む。
【００６０】
複数個の上記照明ユニット２は、各々の上記締結部５００ａをブラケット６００ａと結合して連結されて上記照明装置をなす。
【００６１】
上記締結部５００ａは、上記ハウジング３００の上面に直線形態を有するように形成できる。上記締結部５００ａは、第２方向（ｂ）に沿って形成できる。
【００６２】
上記ブラケット６００ａは、上記締結部５００ａに第２方向（ｂ）にスライディング（sliding）されて結合できる。
【００６３】
例えば、複数個の上記照明ユニット２が第１、２、３、４照明ユニット２Ａ、２Ｂ、２Ｃ、２Ｄを含む場合、上記第１、２、３、４照明ユニット２Ａ、２Ｂ、２Ｃ、２Ｄの各々の締結部５００ａは上記第２方向（ｂ）に沿って同一線上に配置できる。そして、上記ブラケット６００ａを上記締結部５００ａに上記第２方向（ｂ）に沿ってスライディングして結合できる。本実施形態では、上記ブラケット６００ａが１つだけ使われたことが例示されたが、上記ブラケット６００ａは複数個が使われることも可能である。
【００６４】
但し、上記ブラケット６００ａと上記締結部５００ａとの結合方式に対して限定するのではない。また、上記複数個の照明ユニット２は、設置位置、設置面積、設置環境などによって多様な数と配置を有することができ、これに対して限定するのではない。
【００６５】
以下、本発明の第３実施形態に係る照明装置について構成要素を中心として詳細に説明する。第３実施形態を説明するに当たって、上記第１実施形態と同一な部分に対しては第１実施形態を参照し、重複する説明は省略する。
【００６６】
図８は、本発明の第３実施形態に係る照明装置の締結部５００ｂとブラケット６００ｂを示す断面図である。
【００６７】
第３実施形態に係る照明装置は、上記締結部５００ｂと上記ブラケット６００ｂの形状を除いては第１実施形態と類似している。
【００６８】
上記締結部５００ｂはハウジングの上面に形成され、第１方向に沿って延びるように形成された挿入溝の形状でありうる。
【００６９】
上記ブラケット６００ｂは、ブラケット胴体と、上記ブラケット胴体の下方に突出した突起部６２０を含むことができ、上記突起部６２０の下端部の両側６２１ａ、６２１ｂは水平方向に突出するように形成できる。
【００７０】
上記締結部５００ｂ、即ち、挿入溝の形状と上記ブラケット６００ｂの突起部６２０の形状は互いに対応できる。
【００７１】
上記ブラケット６００ｂは、上記締結部５００ｂに上記第１方向に沿ってスライディング方式により結合できるが、これに対して限定するのではない。
【００７２】
以下、本発明の第４実施形態に係る照明装置について構成要素を中心として詳細に説明する。第４実施形態を説明するに当たって、上記第１実施形態と同一な部分に対しては第１実施形態を参照し、重複する説明は省略する。
【００７３】
図９は本発明の第４実施形態に係る照明ユニット３が結合された照明装置を示す図であり、図１０は上記照明装置３の締結部材７００及び結合バー（bar）８００の結合状態を示す図である。
【００７４】
図９及び図１０を参照すると、上記照明ユニット３は、ハウジング３００、上記ハウジング３００の内部に配置される発光モジュール部（図示せず）及び光学シート部（図示せず）、上記ハウジング３００の外側に電源制御部４００を含む。
【００７５】
複数個の上記照明ユニット３は、締結部材７００と結合バー（bar）８００により互いに結合されて上記照明装置をなすことができる。
【００７６】
上記締結部材７００は、上記ハウジング３００の外部に形成できる。例えば、上記締結部材７００は、上記ハウジング３００の側面に配置されることができ、上記ハウジング３００の上面と結合される第１固定部７２０ａ、上記ハウジング３００の側面と結合される第２固定部７２０ｂ、上記結合バー８００と締結されて結合される挿入溝７１０を含むことができる。
【００７７】
上記第１、２固定部７２０ａ、７２０ｂは、各々第１ホール（図示せず）及び第２ホール（図示せず）を含み、上記ハウジング３００の上面及び側面は第１溝（図示せず）及び第２溝（図示せず）を含み、上記第１、２ホール（図示せず）及び第１、２溝（図示せず）を通じて結合ねじ（図示せず）が挿入されることによって、上記ハウジング３００に上記締結部材７００が結合できるが、これに対して限定するのではない。
【００７８】
上記挿入溝７１０は上記締結部材７００の側面に形成されることができ、上記結合バー８００の形状に対応するように形成できる。上記挿入溝７１０の内側面７１１は上記結合バー８００が強固に結合できるように傾斜を有することができる。
【００７９】
上記結合バー８００は第１方向（ａ）に延びたバー（bar）形態であることができ、その断面は、例えばリボン（Ribbon）形態を有することができる。但し、上記結合バー８００の形態に対して限定するのではない。
【００８０】
図１０を参照すると、隣接した２つの締結部材７００ａ、７００ｂの各々の挿入溝７１０は、上記結合バー８００の形態に対応する結合溝をなし、上記結合バー８００は上記結合溝に挿入されることによって、複数個の上記照明ユニット３を結合できる。
【００８１】
上記照明装置は、設置位置、設置面積、設置環境などによって多様な数と配置を有することができ、これに対して限定するのではない。
【図１】
0005623814.tif 000002
【図２】
0005623814.tif 000003
【図３】
0005623814.tif 000004
【図４】
0005623814.tif 000005
【図５】
0005623814.tif 000006
【図６】
0005623814.tif 000007
【図７】
0005623814.tif 000008
【図８】
0005623814.tif 000009
【図９】
0005623814.tif 000010
【図１０】
0005623814.tif 000011